(57)【要約】【課題】ガタをなくして良好な光学性能を確保することができるレンズ鏡筒及び電子機器を提供する。【解決手段】レンズ鏡筒は、カム面Ｃ１を有した突起状のカム部３ａと、カム面Ｃ１に当接するボス２ａと、曲線状に曲げて形成され、その曲げた部分でカム面Ｃ１とは反対側の面Ｃ２に当接する板バネ７と、板バネ７を両持ち支持する２つのボス２ｂと、カム部３ａが設けられた第１レンズ群摺動枠と、第１レンズ群摺動枠と相対的に移動し、ボス２ａ及びボス２ｂが設けられたカムリング等とを含む。【選択図】図２
2007212758.tif 000002
【特許請求の範囲】
【請求項１】
カム面を有したカムと、
前記カム面に当接する第１の係合部と、
弾性部材を曲線状に曲げて形成され、その曲げた部分で前記カム面とは反対側の面に当接する第２の係合部とを含む
レンズ鏡筒。
【請求項２】
請求項１に記載されたレンズ鏡筒であって、
前記カムを備えたカム環と、
前記第１の係合部及び前記第２の係合部を備え前記カム環と相対的に移動する移動環とを含む
レンズ鏡筒。
【請求項３】
請求項１又は請求項２に記載されたレンズ鏡筒であって、
前記第２の係合部は、
前記移動環に固定された支持部と、
前記支持部に両持ち支持されて弾性変形する弾性体とを含む
レンズ鏡筒。
【請求項４】
請求項３に記載されたレンズ鏡筒であって、
前記第１の係合部及び前記支持部は、前記移動環に一体に構成されているレンズ鏡筒。
【請求項５】
カム面を有したカムと、
前記カム面に当接する第１の係合部と、
切欠き部を有した弾性体を備え、前記カム面とは反対側の面に当接する第２の係合部とを含む
レンズ鏡筒。
【請求項６】
請求項５に記載されたレンズ鏡筒であって、
前記カムを備えたカム環と、
前記第１の係合部及び前記第２の係合部が一体に構成され前記カム環と相対的に移動する移動環とを含む
レンズ鏡筒。
【請求項７】
請求項６に記載されたレンズ鏡筒であって、
前記切欠き部は、前記移動環を貫通するスリットであるレンズ鏡筒。
【請求項８】
請求項１から請求項７までの何れか１項に記載されたレンズ鏡筒を用いた電子機器。
【請求項９】
請求項８に記載された電子機器であって、スチルカメラ、又は、ビデオカメラである電子機器。
【発明の詳細な説明】
【技術分野】
【０００１】
本発明は、レンズ鏡筒及び電子機器に関するものである。
【背景技術】
【０００２】
レンズ鏡筒では、光学系の性能を維持するために、レンズ群の光軸に対する偏芯や傾きをできるだけ抑えることが望ましい。
このため、レンズ群に関しては、カム機構におけるガタの除去が必要であり、ガタが残れば、光学系の性能劣化を招く可能性があった。
特許文献１には、凸状部と、その凸状部を挟み込む突起部及び弾性片とが開示されているが、弾性片の機能作用については、何ら言及されていない。
【特許文献１】特開平５−８０２４１号公報
【発明の開示】
【発明が解決しようとする課題】
【０００３】
本発明の課題は、ガタをなくして良好な光学性能を確保することができるレンズ鏡筒及び電子機器を提供することである。
【課題を解決するための手段】
【０００４】
本発明は、以下のような解決手段により前記課題を解決する。なお、理解を容易にするために、本発明の一実施例を示す図面に対応する符号を付して説明するが、これに限定されるものではない。
請求項１の発明は、カム面（Ｃ１）を有したカム（３ａ）と、前記カム面（Ｃ１）に当接する第１の係合部（２ａ）と、弾性部材を曲線状に曲げて形成され、その曲げた部分で前記カム面（Ｃ１）とは反対側の面（Ｃ２）に当接する第２の係合部（８）とを含むレンズ鏡筒である。
請求項２の発明は、請求項１に記載されたレンズ鏡筒であって、前記カム（３ａ）を備えたカム環（３）と、前記第１の係合部（２ａ）及び前記第２の係合部（８）を備え前記カム環（３）と相対的に移動する移動環（２）とを含むレンズ鏡筒である。
請求項３の発明は、請求項１又は請求項２に記載されたレンズ鏡筒であって、前記第２の係合部（８）は、前記移動環（２）に固定された支持部（２ｂ）と、前記支持部（２ｂ）に両持ち支持されて弾性変形する弾性体（７）とを含むレンズ鏡筒である。
請求項４の発明は、請求項３に記載されたレンズ鏡筒であって、前記第１の係合部（２ａ）及び前記支持部（２ｂ）は、前記移動環（２）に一体に構成されているレンズ鏡筒である。
請求項５の発明は、カム面（Ｃ１）を有したカム（３ａ）と、前記カム面（Ｃ１）に当接する第１の係合部（２ｂ−１）と、切欠き部を有した弾性体を備え、前記カム面（Ｃ１）とは反対側の面（Ｃ２）に当接する第２の係合部（２ａ−１）とを含むレンズ鏡筒である。
請求項６の発明は、請求項５に記載されたレンズ鏡筒であって、前記カム（３ａ）を備えたカム環（３）と、前記第１の係合部（２ｂ−１）及び前記第２の係合部（２ａ−１）が一体に構成され前記カム環（３）と相対的に移動する移動環（２）とを含むレンズ鏡筒である。
請求項７の発明は、請求項６に記載されたレンズ鏡筒であって、前記切欠き部は、前記移動環（２）を貫通するスリット（２ｄ）であるレンズ鏡筒である。
請求項８の発明は、請求項１から請求項７までの何れか１項に記載されたレンズ鏡筒を用いた電子機器である。
請求項９の発明は、請求項８に記載された電子機器であって、スチルカメラ、又は、ビデオカメラである電子機器である。
なお、符号を付して説明した構成は適宜改良してもよく、また、少なくとも一部を他の構成物に代替してもよい。
【発明の効果】
【０００５】
本発明によれば、良好な光学性能を確保することができるレンズ鏡筒及びこれを用いた電子機器を提供することができる。
【発明を実施するための最良の形態】
【０００６】
以下、図面等を参照して、本発明の実施例をあげて、さらに詳しく説明する。なお、本発明の電子機器は、例えば、スチルカメラ、ビデオカメラ、光学性能を調整するための光軸合わせ装置、光線投射装置等とすることができるが、以下の実施例では、レンズ鏡筒を例にとって説明する。
【実施例１】
【０００７】
図１は、本発明によるレンズ鏡筒の実施例１を示す図であり、図２は、図１の矢印Ａ方向からの矢視図である。
図１に示すように、実施例１のレンズ鏡筒は、固定筒１と、カムリング２と、第１レンズ群摺動枠３と、第１レンズ群保持枠４と、ズーム操作環５と、第２レンズ群摺動枠６と、板バネ７等とを備える。
【０００８】
固定筒１は、不図示のカメラボディに固定される部材であり、光軸方向に沿って設けられた直進溝１ａ及び直進案内１ｂと、円周方向に設けられた溝１ｃとを備える。
カムリング２は、固定筒１の内周に嵌合して設けられ、第１レンズ群摺動枠３と相対的に移動する部材であり、外周に突出した突出部２ｃと、円周方向に設けられたカム溝２ｅ等とを備える。
第１レンズ群摺動枠３は、固定筒１の外周に嵌合して設けられ、第１レンズ群Ｌ１を駆動する部材であり、第１レンズ群摺動枠３の内周に一体に張り出して設けられた突起状のカム部３ａと、第１レンズ群摺動枠３の内周であって直進案内１ｂに対応する部分に設けられたボス３ｂと、第１レンズ群摺動枠３の外周に設けられたヘリコイドねじ３ｃとを備える。
【０００９】
図２に示すように、カム部３ａは、カム面Ｃ１と、カム面Ｃ１とは反対側の面Ｃ２とを有する。
カム面Ｃ１には、ボス２ａが当接している。
反対側の面Ｃ２には、係合部８が当接している。
係合部８は、その一部の弾性部材を曲線状に曲げて形成され、その曲げた部分で反対側の面Ｃ２に当接する部材であり、カムリング２（図１参照）に固定された２つのボス２ｂと、２つのボス２ｂに両持ち支持されて弾性変形する板バネ７とを含む。なお、支持形態は、板バネ７が予め湾曲していれば、片持ち支持であってもよい。
ボス２ａ及びボス２ｂは、カムリング２に一体に設けられている。ボス２ｂは、板バネ７を支持できるものであれば、その形状や材質は限定されない。ボス２ｂは、例えば、突出部材、円柱部材、角柱部材、ピン等であり、２つのボス２ｂが一体化されたようなものであってもよい。
板バネ７は、ボス２ｂに設けられたスリットに圧入又は接着されており、また、板バネ７は、線バネ等であってもよい。
【００１０】
図１に示すように、カム部３ａの後端面には、カムリング２の外周に一体に突出したボス２ａが当接している。また、カム部３ａの前端面には、板バネ７が当接し、カム部３ａを光軸方向に付勢している。
第１レンズ群保持枠４は、第１レンズ群摺動枠３のヘリコイドねじ３ｃとヘリコイドねじ嵌合して設けられ、第１レンズ群Ｌ１を保持する部材である。
ズーム操作環５は、固定筒１の先端に嵌合して設けられ、ズーム操作をするための部材であり、固定筒１に対して回転を行うための突起部５ａを備える。
第２レンズ群摺動枠６は、カムリング２の内周に嵌合して設けられ、第２レンズ群Ｌ２を保持して駆動する部材であり、カムリング２のカム溝２ｅと固定筒１の直進溝１ａとに嵌合するボス６ａを備える。
板バネ７は、図１中では、２つ記載されているが、一方の板バネ７は、カム部３ａに当接している部分の断面であり、他方の板バネ７は、ボス２ｂに固定されている部分の断面である（図２参照）。
【００１１】
次に、本実施例のレンズ鏡筒の動作について説明する。
変倍操作をするため、Ｗｉｄｅ側からＴｅｌｅ側に、ズーム操作環５を光軸まわりに回転させると、カムリング２が、カムリング２より突出した突出部２ｃと固定筒１の円周方向の溝１ｃとにより、ズーム操作環５と一体で回転する。
カムリング２が、光軸まわりに回転すると、第２レンズ群摺動枠６は、カムリング２のカム溝２ｅと固定筒１の直進溝１ａとにより、光軸方向に直進移動する。
また、第１レンズ群摺動枠３は、第１レンズ群摺動枠３に形成されたボス３ｂと固定筒１の直進案内１ｂとにより直進のみ許容され、かつ、内周に突出したカム部３ａに沿ってボス２ａ及び板バネ７が摺動することにより、光軸方向に直進移動する。
このとき、板バネ７は、付勢されてカム部３ａに当接しているので、カム部３ａにガタが発生することを防止することができる。第１レンズ群摺動枠３と第１レンズ群摺動枠３にヘリコイド嵌合している第１レンズ群保持枠４とは、一体となって光軸方向に直進移動する。
合焦操作をするため、第１レンズ群保持枠４を光軸まわりに回転させると、ヘリコイドねじにより、第１レンズ群Ｌ１のみ光軸方向に繰り出され、ピント合わせができる。
【００１２】
図３は、レンズ鏡筒の比較例を示す図であり、図４は、図３の矢印Ａ方向からの矢視図である。
図３及び図４に示すように、比較例のレンズ鏡筒は、第１レンズ群摺動枠３の内周に、一体で内周に張り出したカム部３ａがあり、このカム部３ａを、カムリング２の外周に一体に突出した突出部１２ａ、１２ｂが挟み込んでいる。
カム部３ａと突出部１２ａ、１２ｂとのガタの除去は、カム部３ａの仕上がり寸法に対し、突出部の間隔を金型修正しながら追い込む、いわゆる試行錯誤による形状決めが行われるので、工数の増大を招いてしまう。
また、成形機のタイプ、成形品の形状、重量、金型の構造等といった成形条件が変化することによって、各部材の仕上がり寸法が変化した場合には、比較例の構成では対応がとれず、そのままガタが増大し、光学系の性能劣化を招く可能性がある。
【００１３】
一方、本実施例のレンズ鏡筒によれば、ボス２ａがカム面Ｃ１に当接し、板バネ７が、曲線状に曲げられて反対側の面Ｃ２に当接する。
これにより、板バネ７は、付勢されて反対側の面Ｃ２に当接し、カム部３ａのガタが自然に除去されるので、ガタの除去のために、ボス等の間隔寸法を金型修正で追い込む必要がなくなる。
また、板バネ７は、付勢されて反対側の面Ｃ２に当接しているので、適当な間隔寸法に成形された場合に残るガタをも除去することができ、良好な光学性能を確保することができる。
さらに、板バネ７は、付勢されて反対側の面Ｃ２に当接しているので、カム部３ａや板バネ７が経時的に磨耗しても、ガタが発生しない。
さらにまた、係合部８は、ボス２ｂと板バネ７とによって構成されているので、大幅な部品点数の増加を招かずに安価な部品で製造することができる。
【実施例２】
【００１４】
図５は、本発明によるレンズ鏡筒の実施例２を示す図であり、図６は、図５の矢印Ａ方向からの矢視図である。
なお、前述した実施例１と同様な機能を果たす部分は、重複する説明を適宜省略する。
図５に示すように、実施例２のレンズ鏡筒は、実施例１のものと比較して、カム部３ａ付近の構成が異なる。
図６に示すように、カム面Ｃ１には、ボス２ｂ−１が当接している。
反対側の面Ｃ２には、ボス２ａ−１が当接している。
ボス２ａ−１は、切り欠き部を有した弾性体である。ボス２ａ−１のカム部３ａ側の部分は、弾性的に変形可能である。
切り欠き部は、例えば、直線状の溝、十字状の溝、開口穴、スリット等であり、本実施例では、カムリング２（図５参照）を貫通し、ボス部３ａに略平行に設けられた直線状のスリット２ｄである。
なお、スリット２ｄの形状は、直線状のものに限定されず、その長さも任意であってよい。また、スリット２ｄは、応力集中を防止するため、両端を円弧状に形成することが好ましい。さらに、スリット２ｄを設ける位置を変更して、力のかかり具合を調節してもよい。さらにまた、ボス２ａ−１のスリット２ｄの外側の部分（カム部３ａと反対側の部分）を省いてもよい。一方、ボス２ａ−１のカム部３ａ側の部分を挟み込むように２つのスリットを設け（この場合、一方のスリットは、図中のスリット２ｄであり、他方のスリットは、カム部３ａの下側に配置される。）、ボス２ａ−１のカム部３ａ側の部分を弾性変形しやすくしてもよい。
ボス２ａ−１及びボス２ｂ−１は、以上のように構成されている。したがって、図５に示すように、レンズ鏡筒全体における配置関係は、カム部３ａの前端面に、カムリング２の外周に一体に突出したボス２ｂ−１が当接し、カム部３ａの後端面に、カムリング２の外周に一体に突出したボス２ａ−１が当接したものとなっている。
【００１５】
本実施例によれば、ボス２ａ−１とボス２ｂ−１との間隔を、カム部３ａの幅に対し若干小さく構成することにより、ボス２ａ−１が弾性変形してカム部３ａに当接するようになり、ボス２ａ−１とボス２ｂ−１との間隔寸法を厳密に追い込む必要がなく、組込時には、ボス２ａ−１の弾性によりガタの除去も可能である。
【００１６】
一方、特許文献１には、弾性片によって光軸方向に位置制御を行なう旨の記載はあるが、弾性片の機能作用については、何ら言及されていない。
これに対して、本実施例では、ボス２ａ−１にスリット２ｄを設けることによって、ボス２ａ−１のカム部３ａ側の部分を積極的に弾性変形できるようにしている。
また、特許文献１のものは、凸状部を挟み込む２つの部材（突起部及び弾性片）が別体であるのに対して、本実施例の２つのボス２ａ−１、２ｂ−１は、カムリング２に一体に設けられており、より製造しやすい形態となっている。
【００１７】
（変形例）
本実施例は、以下の変形も可能である。
（１）上述した各実施例では、係合部８、ボス２ａ−１は、１つ配置する例で説明したが、２つ以上配置してもよい。
（２）実施例１の係合部８と、実施例２のボス２ａ−１とを並べて配置してもよい。
【００１８】
（３）カム部３ａは、第１レンズ群摺動枠３に設けられている例で説明したが、例えば、内部に撮影光学系がある筒状部材の外周又は内周であって、その撮影光学系の一部を動かすための部材に設けられていれば、その配置場所は問わない。
（４）反対側の面Ｃ２は、カム面Ｃ１と対応する形状の例で説明したが、対応していない形状であってもよい。このようにすれば、厳密なカム面を形成する必要がなくなる。
なお、上述した各実施例及び変形例は、適宜組み合わせて用いることもできるが、詳細な説明は省略する。また、本発明は、以上説明した各実施例によって限定されることはない。
【図面の簡単な説明】
【００１９】
【図１】本発明によるレンズ鏡筒の実施例１を示す図である。
【図２】図１の矢印Ａ方向からの矢視図である。
【図３】レンズ鏡筒の比較例を示す図である。
【図４】図３の矢印Ａ方向からの矢視図である。
【図５】本発明によるレンズ鏡筒の実施例２を示す図である。
【図６】図５の矢印Ａ方向からの矢視図である。
【符号の説明】
【００２０】
２：カムリング、２ａ，２ｂ，２ａ−１，２ｂ−１：ボス、２ｄ：スリット、３：第１レンズ群摺動枠、３ａ：カム部、７：板バネ、８：係合部、Ｃ１：カム面、Ｃ２：反対側の面
【図１】
2007212758.tif 000003
【図２】
2007212758.tif 000004
【図３】
2007212758.tif 000005
【図４】
2007212758.tif 000006
【図５】
2007212758.tif 000007
【図６】
2007212758.tif 000008